(57)【要約】【課題】電気的駆動弁と電気的発光素子を備えるガス燃焼器具において、電池の長寿命化を実現することが可能な技術を提供する。【解決手段】本明細書は、ガス燃焼器具を開示する。ガス燃焼器具は、燃料ガスの流路に設けられた電気的駆動弁と、ユーザに視認可能に設けられた電気的発光素子と、コントローラと、第１の電池と、第１の電池とは別体の、第２の電池を備えている。電気的駆動弁は、第１の電池から供給される電力によって動作する。電気的発光素子は、第２の電池から供給される電力によって動作する。【選択図】図１
2018132268.tif 000002
【特許請求の範囲】
【請求項１】
ガス燃焼器具であって、
燃料ガスの流路に設けられた電気的駆動弁と、
ユーザに視認可能に設けられた電気的発光素子と、
コントローラと、
第１の電池と、
第１の電池とは別体の、第２の電池を備えており、
電気的駆動弁が、第１の電池から供給される電力によって動作し、
電気的発光素子が、第２の電池から供給される電力によって動作する、ガス燃焼器具。
【請求項２】
コントローラが、電気的駆動弁の動作を制御する燃焼制御用マイコンと、燃焼制御用マイコンとは別体の、電気的発光素子の動作を制御する表示制御用マイコンを備えており、
燃焼制御用マイコンが、第１の電池から供給される電力によって動作し、表示制御用マイコンが、第２の電池から供給される電力によって動作する、請求項１のガス燃焼器具。
【請求項３】
ユーザにより操作されるスイッチをさらに備えており、
燃焼制御用マイコンが、第２の電池からの電気的発光素子および表示制御用マイコンへの電力供給を許可または禁止するように構成されており、
燃焼制御用マイコンが、第２の電池からの電気的発光素子および表示制御用マイコンへの電力供給を許可している時に、第１の所定時間にわたってスイッチの操作が行われない場合に、第２の電池からの電気的発光素子および表示制御用マイコンへの電力供給を禁止する、請求項２のガス燃焼器具。
【請求項４】
燃焼制御用マイコンが、第２の電池からの電気的発光素子および表示制御用マイコンへの電力供給を禁止してから第２の所定時間が経過した場合に、第２の電池からの電気的発光素子および表示制御用マイコンへの電力供給を許可する、請求項３のガス燃焼器具。
【請求項５】
燃焼制御用マイコンが、第２の電池からの電気的発光素子および表示制御用マイコンへの電力供給を禁止している間に、ユーザによるスイッチへの操作を検出した場合に、第２の電池からの電気的発光素子および表示制御用マイコンへの電力供給を許可する、請求項３または４のガス燃焼器具。
【請求項６】
放電によって点火する点火装置をさらに備えており、
点火装置が、第１の電池から供給される電力により動作する、請求項１から５の何れか一項のガス燃焼器具。
【発明の詳細な説明】
【技術分野】
【０００１】
本明細書で開示する技術は、ガス燃焼器具に関する。
【背景技術】
【０００２】
特許文献１には、ガス燃焼器具が開示されている。そのガス燃焼器具は、燃料ガスの流路に設けられた電気的駆動弁と、ユーザに視認可能に設けられた電気的発光素子と、コントローラと、電池を備えている。そのガス燃焼器具では、電気的駆動弁と、電気的発光素子が、電池から供給される電力によって動作する。
【先行技術文献】
【特許文献】
【０００３】
【特許文献１】特開２０１５−１８５０１１号公報
【発明の概要】
【発明が解決しようとする課題】
【０００４】
一般に、電池電圧は、電池の使用に伴う内部抵抗の増加によって低下していくほか、電池から大電流を供給する際にも一時的に低下する。電気的駆動弁は、動作時に大きな電流を必要とする。このため、電気的駆動弁に電力を供給する電池は、電気的駆動弁の動作時に、一時的に電池電圧が低下する。従って、電気的駆動弁に電力を供給する電池については、電気的駆動弁の動作により一時的に電池電圧が低下しても、電気的駆動弁を正常に動作させることが可能な電池電圧の下限値を、終止電圧として設定する必要がある。通常、このように設定される終止電圧は、電池の内部抵抗の増加を考慮して設定される電池それ自体の終止電圧よりも高い電圧に設定される。一方、電気的発光素子は、動作時に高い電圧を必要とするが、昇圧回路を用いることで、電池電圧が低下していても、正常に動作させることができる。このため、電気的発光素子に電力を供給する電池の終止電圧は、電池それ自体の終止電圧と同じ電圧に設定することが可能である。
【０００５】
特許文献１のガス燃焼器具のように、電気的駆動弁と電気的発光素子を、同じ電池から供給される電力で動作させる構成とすると、電池の終止電圧を、電気的駆動弁の駆動による電池電圧の一時的な低下を踏まえて設定しなければならない。この場合、電池電圧がまだ電池それ自体の終止電圧まで低下しておらず、電気的発光素子については正常に動作させることが可能な場合であっても、ユーザに電池交換を促すことになる。また、電気的駆動弁と電気的発光素子を、同じ電池から供給される電力で動作させる構成とすると、電気的駆動弁の駆動により一時的に低下した電池電圧を、電気的発光素子の動作に必要な電圧まで昇圧回路で昇圧する必要がある。通常、昇圧回路の昇圧比が高くなると、昇圧回路での消費電流は大幅に増加し、電池の消耗を早めてしまうことになる。
【０００６】
本明細書では、上記の課題を解決する技術を提供する。本明細書では、電気的駆動弁と電気的発光素子を備えるガス燃焼器具において、電池の長寿命化を実現することが可能な技術を提供する。
【課題を解決するための手段】
【０００７】
本明細書は、ガス燃焼器具を開示する。ガス燃焼器具は、燃料ガスの流路に設けられた電気的駆動弁と、ユーザに視認可能に設けられた電気的発光素子と、コントローラと、第１の電池と、第１の電池とは別体の、第２の電池を備えている。電気的駆動弁は、第１の電池から供給される電力によって動作する。電気的発光素子は、第２の電池から供給される電力によって動作する。
【０００８】
上記のガス燃焼器具では、電気的駆動弁と、電気的発光素子を、別個の電池から供給される電力によって動作させる構成としている。このような構成とすることによって、電気的駆動弁に電力を供給する第１の電池の終止電圧と、電気的発光素子に電力を供給する第２の電池の終止電圧を、別個に設定することができる。これによって、第１の電池や第２の電池について、それぞれの用途においてまだ使用可能であるにも関わらずユーザに電池交換を促してしまうことを防ぐことができる。また、上記のガス器具によれば、電気的駆動弁の駆動により一時的に低下した電池電圧を、電気的発光素子の動作に必要な電圧まで昇圧する必要がないので、電池の消耗を抑制することができる。上記のガス燃焼器具によれば、第１の電池や第２の電池の長寿命化を実現することができる。
【０００９】
上記のガス燃焼器具において、コントローラは、電気的駆動弁の動作を制御する燃焼制御用マイコンと、燃焼制御用マイコンとは別体の、電気的発光素子の動作を制御する表示制御用マイコンを備えていてもよく、燃焼制御用マイコンは、第１の電池から供給される電力によって動作してもよく、表示制御用マイコンは、第２の電池から供給される電力によって動作してもよい。
【００１０】
上記のガス燃焼器具によれば、燃料ガスの燃焼を制御するために電気的駆動弁の動作を制御する燃焼制御用マイコンと、ユーザへの表示を制御するために電気的発光素子の動作を制御する表示制御用マイコンを、別個に設けることによって、それぞれのマイコンへの電力供給の有無を個別に切り換えることができる。ガス燃焼器具の省電力化を図ることができる。
【００１１】
上記のガス燃焼器具は、ユーザにより操作されるスイッチをさらに備えていてもよく、燃焼制御用マイコンは、第２の電池からの電気的発光素子および表示制御用マイコンへの電力供給を許可または禁止するように構成されていてもよく、燃焼制御用マイコンは、第２の電池からの電気的発光素子および表示制御用マイコンへの電力供給を許可している時に、第１の所定時間にわたってスイッチの操作が行われない場合に、第２の電池からの電気的発光素子および表示制御用マイコンへの電力供給を禁止してもよい。
【００１２】
上記のガス燃焼器具によれば、ユーザがスイッチへの操作を行っていないにも関わらず、表示制御用マイコンが電気的発光素子を点灯し続けて、余計な電力を消費してしまうことを抑制することができる。
【００１３】
上記のガス燃焼器具において、燃焼制御用マイコンは、第２の電池からの電気的発光素子および表示制御用マイコンへの電力供給を禁止してから第２の所定時間が経過した場合に、第２の電池からの電気的発光素子および表示制御用マイコンへの電力供給を許可してもよい。
【００１４】
上記のガス燃焼器具によれば、ユーザがスイッチへの操作を第１の所定時間にわたって行わなかったことで電気的発光素子が消灯した場合に、ユーザが再びスイッチ操作を行わなくても、第２の所定時間が経過した時に、電気的発光素子を再び点灯させることができる。ユーザの利便性を向上することができる。
【００１５】
上記のガス燃焼器具において、燃焼制御用マイコンは、第２の電池からの電気的発光素子および表示制御用マイコンへの電力供給を禁止している間に、ユーザによるスイッチへの操作を検出した場合に、第２の電池からの電気的発光素子および表示制御用マイコンへの電力供給を許可してもよい。
【００１６】
上記のガス燃焼器具によれば、ユーザがスイッチへの操作を第１の所定時間にわたって行わなかったことで電気的発光素子が消灯した場合に、ユーザが再びスイッチ操作をした時点で、速やかに電気的発光素子を再び点灯させることができる。ユーザの利便性を向上することができる。
【００１７】
上記のガス燃焼器具は、放電によって点火する点火装置をさらに備えていてもよく、点火装置は、第１の電池から供給される電力により動作してもよい。
【００１８】
点火装置は、電気的駆動弁と同様に、動作時に大きな電流を必要とするので、点火装置に電力を供給する電池は、点火装置の動作時に、一時的に電池電圧が低下する。上記のガス燃焼器具によれば、電気的駆動弁および点火装置に電力を供給する第１の電池の終止電圧と、電気的発光素子に電力を供給する第２の電池の終止電圧を、別個に設定することができる。これによって、第１の電池や第２の電池について、それぞれの用途においてまだ使用可能であるにも関わらずユーザに電池交換を促してしまうことを防ぐことができる。また、上記のガス器具によれば、点火装置の駆動により一時的に低下した電池電圧を、電気的発光素子の動作に必要な電圧まで昇圧する必要がないので、電池の消耗を抑制することができる。上記のガス燃焼器具によれば、第１の電池や第２の電池の長寿命化を実現することができる。
【図面の簡単な説明】
【００１９】
【図１】実施例のガス燃焼器具２の構成を模式的に示す図である。
【図２】実施例のガス燃焼器具２の回路構成の一部を示す図である。
【図３】実施例のガス燃焼器具２の回路構成の別の一部を示す図である。
【図４】実施例のガス燃焼器具２の回路構成のさらに別の一部を示す図である。
【図５】実施例のガス燃焼器具２について、第２の電池１０６を取り除いた場合の回路構成の一部を示す図である。
【図６】実施例のガス燃焼器具２について、第２の電池１０６を取り除いて、第２電源電位Ｖ２と第１電源電位Ｖ１をハーネス２０４で接続した場合の回路構成の一部を示す図である。
【図７】実施例のガス燃焼器具２の回路構成のさらに別の一部の変形例を示す図である。
【発明を実施するための形態】
【００２０】
（実施例）
図１に本実施例のガス燃焼器具２の概略の構成を示す。本実施例のガス燃焼器具２は、上部に配置された第１コンロ４、第２コンロ６および第３コンロ８と、内部に配置されたグリル庫１０を備える、調理用のガスコンロである。
【００２１】
第１コンロ４には、第１コンロバーナ１２と、第１コンロバーナ１２に点火する第１コンロ点火装置１４と、第１コンロバーナ１２の炎の有無を検出する第１コンロ炎検出器１６と、第１コンロ４に載置された鍋等の調理容器の底面の温度を検出する第１コンロ温度検出器１８が設けられている。第２コンロ６には、第２コンロバーナ２０と、第２コンロバーナ２０に点火する第２コンロ点火装置２２と、第２コンロバーナ２０の炎の有無を検出する第２コンロ炎検出器２４と、第２コンロ６に載置された鍋等の調理容器の底面の温度を検出する第２コンロ温度検出器２６が設けられている。第３コンロ８には、第３コンロバーナ２８と、第３コンロバーナ２８に点火する第３コンロ点火装置３０と、第３コンロバーナ２８の炎の有無を検出する第３コンロ炎検出器３２と、第３コンロ８に載置された鍋等の調理容器の底面の温度を検出する第３コンロ温度検出器３４が設けられている。
【００２２】
グリル庫１０には、グリル庫１０の内部において上部から下方に向けて炎を燃焼させるグリル上部バーナ３６と、グリル上部バーナ３６に点火するグリル上部点火装置３８と、グリル上部バーナ３６の炎の有無を検出するグリル上部炎検出器４０と、グリル庫１０の内部において下部から上方に向けて炎を燃焼させる第１グリル下部バーナ４２および第２グリル下部バーナ４４と、第１グリル下部バーナ４２に点火する第１グリル下部点火装置４６と、第２グリル下部バーナ４４に点火する第２グリル下部点火装置４８と、第１グリル下部バーナ４２の炎の有無を検出する第１グリル下部炎検出器５０と、第２グリル下部バーナ４４の炎の有無を検出する第２グリル下部炎検出器５２と、グリル庫１０内の温度を検出するグリル温度検出器５４が設けられている。
【００２３】
ガス燃焼器具２には、ガス供給路５６を介して、都市ガス、プロパンガス等の燃料ガスが供給される。ガス供給路５６には、ガス供給路５６を開閉する主開閉弁５８が介装されている。ガス供給路５６は、第１コンロガス供給路６０と、第２コンロガス供給路６２と、第３コンロガス供給路６４と、グリルガス供給路６６に分岐している。
【００２４】
第１コンロガス供給路６０は、第１コンロバーナ１２に燃料ガスを供給する。第１コンロガス供給路６０には、第１コンロガス供給路６０を開閉する第１コンロ開閉弁６８と、第１コンロガス供給路６０を流れる燃料ガスの流量を調整する第１コンロ流量調整弁７０が介装されている。第２コンロガス供給路６２は、第２コンロバーナ２０に燃料ガスを供給する。第２コンロガス供給路６２には、第２コンロガス供給路６２を開閉する第２コンロ開閉弁７２と、第２コンロガス供給路６２を流れる燃料ガスの流量を調整する第２コンロ流量調整弁７４が介装されている。第３コンロガス供給路６４は、第３コンロバーナ２８に燃料ガスを供給する。第３コンロガス供給路６４には、第３コンロガス供給路６４を開閉する第３コンロ開閉弁７６と、第３コンロガス供給路６４を流れる燃料ガスの流量を調整する第３コンロ流量調整弁７８が介装されている。
【００２５】
グリルガス供給路６６には、グリルガス供給路６６を開閉するグリル開閉弁８０が介装されている。グリルガス供給路６６は、グリル上部ガス供給路８２と、グリル下部ガス供給路８４に分岐している。グリル上部ガス供給路８２は、グリル上部バーナ３６に燃料ガスを供給する。グリル上部ガス供給路８２には、グリル上部ガス供給路８２を流れる燃料ガスの流量を調整するグリル上部流量調整弁８６が介装されている。グリル下部ガス供給路８４は、第１グリル下部ガス供給路８８と、第２グリル下部ガス供給路９０に分岐している。第１グリル下部ガス供給路８８は、第１グリル下部バーナ４２に燃料ガスを供給する。第２グリル下部ガス供給路９０は、第２グリル下部バーナ４４に燃料ガスを供給する。グリル下部ガス供給路８４には、グリル下部ガス供給路８４を流れる燃料ガスの流量を調整するグリル下部流量調整弁９１が介装されている。
【００２６】
主開閉弁５８、第１コンロ開閉弁６８、第２コンロ開閉弁７２、第３コンロ開閉弁７６、グリル開閉弁８０は、ソレノイドによって弁体を開放位置と閉鎖位置の間で移動させる電磁弁であり、電気的駆動弁といえる。第１コンロ流量調整弁７０、第２コンロ流量調整弁７４、第３コンロ流量調整弁７８、グリル上部流量調整弁８６、グリル下部流量調整弁９１は、ステッピングモータによって弁体の開度を調整する電動弁であり、電気的駆動弁といえる。
【００２７】
ガス燃焼器具２はさらに、第１コンロ４での加熱のオン／オフを切り換える第１コンロスイッチ９２と、第２コンロ６での加熱のオン／オフを切り換える第２コンロスイッチ９４と、第３コンロ８での加熱のオン／オフを切り換える第３コンロスイッチ９６と、グリル庫１０での加熱のオン／オフを切り換えるグリルスイッチ９８と、コントローラ１００と、表示操作部１０２を備えている。第１コンロスイッチ９２、第２コンロスイッチ９４、第３コンロスイッチ９６、グリルスイッチ９８は、ユーザが手動で操作可能である。コントローラ１００は、ガス燃焼器具２の各構成要素の動作を制御する。表示操作部１０２は、第１コンロ４、第２コンロ６、第３コンロ８、グリル庫１０の加熱能力や加熱時間などの、ガス燃焼器具２の動作に関する設定内容をユーザが手動で入力可能であるとともに、ガス燃焼器具２の動作に関する設定内容やその他のガス燃焼器具２の状態をユーザに対して表示可能である。
【００２８】
ガス燃焼器具２には、第１の電池１０４と、第２の電池１０６が取り付けられている。本実施例のガス燃焼器具２では、第１の電池１０４は、２つの乾電池１０４ａ、１０４ｂを直列に接続したものであり、第２の電池１０６は、２つの乾電池１０６ａ、１０６ｂを直列に接続したものである。ガス燃焼器具２の各構成要素は、第１の電池１０４および第２の電池１０６から電力を供給されて動作する。
【００２９】
図２、図３および図４は、ガス燃焼器具２の電気系統の構成を示している。図２、図３および図４に示すように、コントローラ１００は、燃焼制御用マイコン１０８、表示制御用マイコン１１０、ドライバＩＣ１１２、降圧回路１１４、昇圧回路１１６等を備えている。なお、図２では、第１コンロスイッチ９２、第２コンロスイッチ９４、第３コンロスイッチ９６、グリルスイッチ９８をまとめて、メインスイッチ１１８として表記している。図３では、第１コンロ炎検出器１６、第２コンロ炎検出器２４、第３コンロ炎検出器３２、グリル上部炎検出器４０、第１グリル下部炎検出器５０、第２グリル下部炎検出器５２をまとめて、炎検出器１２０として表記しており、第１コンロ温度検出器１８、第２コンロ温度検出器２６、第３コンロ温度検出器３４、グリル温度検出器５４をまとめて、温度検出器１２２として表記しており、第１コンロ点火装置１４、第２コンロ点火装置２２、第３コンロ点火装置３０、グリル上部点火装置３８、第１グリル下部点火装置４６、第２グリル下部点火装置４８をまとめて、点火装置１２４として表記しており、主開閉弁５８、第１コンロ開閉弁６８、第２コンロ開閉弁７２、第３コンロ開閉弁７６、グリル開閉弁８０をまとめて、開閉弁１２６として表記しており、第１コンロ流量調整弁７０、第２コンロ流量調整弁７４、第３コンロ流量調整弁７８、グリル上部流量調整弁８６、グリル下部流量調整弁９１をまとめて、流量調整弁１２８として表記している。
【００３０】
図２に示すように、第１の電池１０４は、電解コンデンサ１３０に並列に接続されている。電解コンデンサ１３０の正極は、コントローラ１００の第１電源電位Ｖ１に接続されており、電解コンデンサ１３０の負極は、コントローラ１００の接地電位に接続されている。従って、コントローラ１００の第１電源電位Ｖ１には、第１の電池１０４から電力が供給され、その電位は第１の電池１０４の電池電圧に一致する。第２の電池１０６は、電解コンデンサ１３２に並列に接続されている。電解コンデンサ１３２の正極は、コントローラ１００の第２電源電位Ｖ２に接続されており、電解コンデンサ１３２の負極は、コントローラ１００の接地電位に接続されている。従って、コントローラ１００の第２電源電位Ｖ２には、第２の電池１０６から電力が供給され、その電位は第２の電池１０６の電池電圧に一致する。
【００３１】
メインスイッチ１１８は、第１接点１１８ａと第２接点１１８ｂの間の導通および非導通を切り換える。第１接点１１８ａは、第１電源電位Ｖ１に接続されている。第２接点１１８ｂは、抵抗器１３４，１３６を介して接地電位に接続されている。また、第２接点１１８ｂは、ＮＯＴ回路１３８の入力に接続されている。ＮＯＴ回路１３８は、負極電源電位が接地電位に接続されている。ＮＯＴ回路１３８の出力は、ＮＯＴ回路１４０の入力とＮＯＴ回路１４２の入力に接続されている。ＮＯＴ回路１４０は、正極電源電位が第１電源電位Ｖ１に接続されている。ＮＯＴ回路１４０の出力は、降圧回路１１４に入力される。降圧回路１１４は、入力される電圧を所定の電圧（例えば１．８Ｖ）に降圧して出力する。降圧回路１１４は、例えば、ＤＣ／ＤＣコンバータである。降圧回路１１４の出力は、コンデンサ１４４の正極に接続されている。コンデンサ１４４の正極は、第１降圧電源電位Ｖ１Ａに接続されており、コンデンサ１４４の負極は、接地電位に接続されている。従って、コントローラ１００の第１降圧電源電位Ｖ１Ａは、降圧回路１１４の出力電圧に一致する。ＮＯＴ回路１４２は、正極電源電位が第１電源電位Ｖ１に接続されている。ＮＯＴ回路１４２の出力は、抵抗器１４６，１４８を介して接地電位に接続されている。
【００３２】
燃焼制御用マイコン１０８の正極電源入力ＶＣＣは、第１降圧電源電位Ｖ１Ａに接続されており、燃焼制御用マイコン１０８の負極電源入力ＶＳＳは、接地電位に接続されている。燃焼制御用マイコン１０８の電池電圧検出入力は、抵抗器１４６と抵抗器１４８の接続点に接続されている。燃焼制御用マイコン１０８の点消火ＳＷ入力は、抵抗器１３４と抵抗器１３６の接続点に接続されている。
【００３３】
図２の構成において、メインスイッチ１１８が非導通から導通に切り換わると、第２接点１１８ｂの電位が第１電源電位Ｖ１に一致し、ＮＯＴ回路１３８が接地電位を出力する。これによって、ＮＯＴ回路１４０が第１電源電位Ｖ１を出力し、降圧回路１１４が第１降圧電源電位Ｖ１Ａを出力し、燃焼制御用マイコン１０８に電力が供給される。この際に、燃焼制御用マイコン１０８に供給される電力は、第１電源電位Ｖ１からＮＯＴ回路１４０、降圧回路１１４およびコンデンサ１４４を介して供給される電力、すなわち、第１の電池１０４から供給される電力である。また、メインスイッチ１１８が非導通から導通に切り換わると、燃焼制御用マイコン１０８の点消火ＳＷ入力に、第１電源電位Ｖ１（すなわち、第１の電池１０４の電池電圧）を抵抗器１３４，１３６で分圧した電位が入力される。さらに、メインスイッチ１１８が非導通から導通に切り換わると、ＮＯＴ回路１４２が第１電源電位Ｖ１を出力し、燃焼制御用マイコン１０８の電池電圧検出入力に、第１電源電位Ｖ１（すなわち、第１の電池１０４の電池電圧）を抵抗器１４６，１４８で分圧した電位が入力される。燃焼制御用マイコン１０８は、電池電圧検出入力の電圧値に基づいて、第１の電池１０４の電池電圧を検出することができ、これによって、燃焼制御用マイコン１０８は、第１の電池１０４の残量を推定することができる。なお、メインスイッチ１１８が導通から非導通に切り換わると、燃焼制御用マイコン１０８の点消火ＳＷ入力には、接地電位が入力される。燃焼制御用マイコン１０８は、点消火ＳＷ入力から、ユーザによるメインスイッチ１１８への操作内容を特定することができる。
【００３４】
図３に示すように、炎検出器１２０は、一端がオペアンプ１５０に接続されており、他端が接地電位に接続されている。本実施例の炎検出器１２０は、熱電対である。オペアンプ１５０は、正極電源電位が第１降圧電源電位Ｖ１Ａに接続されており、負極電源電位が接地電位に接続されている。オペアンプ１５０の出力は、燃焼制御用マイコン１０８の着火検知入力に接続されている。オペアンプ１５０は、炎検出器１２０で炎が検出されている場合に第１降圧電源電位Ｖ１Ａを出力し、炎検出器１２０で炎が検出されていない場合に接地電位を出力する。燃焼制御用マイコン１０８は、着火検知入力に基づいて、炎検出器１２０で炎が検出されているか否かを特定することができる。
【００３５】
温度検出器１２２は、一端が抵抗器１５２を介して第１降圧電源電位Ｖ１Ａに接続されており、他端が接地電位に接続されている。本実施例の温度検出器１２２は、サーミスタである。温度検出器１２２と抵抗器１５２の接続点は、燃焼制御用マイコン１０８の温度検知入力に接続されている。燃焼制御用マイコン１０８は、温度検知入力の電圧値に基づいて、温度検出器１２２の抵抗値を検出することができ、これによって、燃焼制御用マイコン１０８は、温度検出器１２２での検出温度を特定することができる。
【００３６】
点火装置１２４は、一端がＮＯＴ回路１５４の出力に接続され、他端が接地電位に接続されている。点火装置１２４は、電力が供給されると、高圧放電により火花を生じさせて点火する。ＮＯＴ回路１５４は、正極電源電位が第１電源電位Ｖ１に接続されている。ＮＯＴ回路１５４の入力は、ＮＯＴ回路１５６の出力に接続されている。ＮＯＴ回路１５６は、負極電源電位が接地電位に接続されている。ＮＯＴ回路１５６の入力は、燃焼制御用マイコン１０８のＩＧ制御出力に接続されている。燃焼制御用マイコン１０８のＩＧ制御出力がＨ電位（例えば、第１降圧電源電位Ｖ１Ａ）を出力すると、ＮＯＴ回路１５６が接地電位を出力し、ＮＯＴ回路１５４が第１電源電位Ｖ１を出力することで、点火装置１２４に電力が供給されて、点火装置１２４が点火動作を行なう。
【００３７】
開閉弁１２６は、ダイオード１５８に並列に接続されている。ダイオード１５８は、アノードが接地電位に接続されており、カソードが抵抗器１６０を介してＮＯＴ回路１６２の出力に接続されている。ＮＯＴ回路１６２は、正極電源電位が第１降圧電源電位Ｖ１Ａに接続されている。ＮＯＴ回路１６２の入力は、燃焼制御用マイコン１０８のＳＶ制御出力に接続されている。燃焼制御用マイコン１０８のＳＶ制御出力がＬ電位（例えば、接地電位）を出力すると、ＮＯＴ回路１６２が第１降圧電源電位Ｖ１Ａを出力することで、開閉弁１２６に電力が供給されて、開閉弁１２６が開閉動作を行なう。
【００３８】
流量調整弁１２８は、ドライバＩＣ１１２に接続されている。ドライバＩＣ１１２は、正極電源入力が第１電源電位Ｖ１に接続されており、負極電源入力が接地電位に接続されている。ドライバＩＣ１１２の制御入力は、燃焼制御用マイコン１０８の火力制御出力に接続されている。燃焼制御用マイコン１０８は、ドライバＩＣ１１２を介して、流量調整弁１２８の動作を制御する。
【００３９】
図４に示すように、燃焼制御用マイコン１０８のマイコン制御出力は、ＮＯＴ回路１６４の入力に接続されている。ＮＯＴ回路１６４は、負極電源電位が接地電位に接続されている。ＮＯＴ回路１６４の出力は、ＮＯＴ回路１６６の入力とＮＯＴ回路１７１の入力に接続されている。ＮＯＴ回路１６６は、正極電源電位が第２電源電位Ｖ２に接続されている。ＮＯＴ回路１６６の出力は、昇圧回路１１６に入力される。昇圧回路１１６は、入力される電圧を所定の電圧（例えば３．３Ｖ）に昇圧して出力する。昇圧回路１１６は、例えば、ＤＣ／ＤＣコンバータである。昇圧回路１１６の出力は、電解コンデンサ１６８の正極に接続されている。電解コンデンサ１６８の正極は、第２昇圧電源電位Ｖ２Ａに接続されており、電解コンデンサ１６８の負極は、接地電位に接続されている。従って、コントローラ１００の第２昇圧電源電位Ｖ２Ａは、昇圧回路１１６の出力電圧に一致する。電解コンデンサ１６８には、並列に、コンデンサ１７０が接続されている。ＮＯＴ回路１７１は、正極電源電位が第２電源電位Ｖ２に接続されている。ＮＯＴ回路１７１の出力は、抵抗器１７２，１７４を介して接地電位に接続されている。
【００４０】
表示制御用マイコン１１０の正極電源入力ＶＣＣは、第２昇圧電源電位Ｖ２Ａに接続されており、表示制御用マイコン１１０の負極電源入力ＶＳＳは、接地電位に接続されている。表示制御用マイコン１１０の電池電圧検出入力は、抵抗器１７２と抵抗器１７４の接続点に接続されている。
【００４１】
図４の構成において、燃焼制御用マイコン１０８のマイコン制御出力がＨ電位（例えば第１降圧電源電位Ｖ１Ａ）となると、ＮＯＴ回路１６４が接地電位を出力し、ＮＯＴ回路１６６が第２電源電位Ｖ２を出力し、昇圧回路１１６が第２昇圧電源電位Ｖ２Ａを出力し、表示制御用マイコン１１０に電力が供給される。この際に、表示制御用マイコン１１０に供給される電力は、第２電源電位Ｖ２からＮＯＴ回路１６６、昇圧回路１１６、電解コンデンサ１６８およびコンデンサ１７０を介して供給される電力、すなわち、第２の電池１０６から供給される電力である。また、燃焼制御用マイコン１０８のマイコン制御出力がＨ電位（例えば第１降圧電源電位Ｖ１Ａ）となると、ＮＯＴ回路１７１が第２電源電位Ｖ２を出力し、表示制御用マイコン１１０の電池電圧検出入力に、第２電源電位Ｖ２（すなわち、第２の電池１０６の電池電圧）を抵抗器１７２，１７４で分圧した電位が入力される。表示制御用マイコン１１０は、電池電圧検出入力の電圧値に基づいて、第２の電池１０６の電池電圧を検出することができ、これによって、表示制御用マイコン１１０は、第２の電池１０６の残量を推定することができる。
【００４２】
燃焼制御用マイコン１０８のマイコン間通信出力は、ＮＯＴ回路１７６の入力に接続されている。ＮＯＴ回路１７６は、正極電源電位が第１降圧電源電位Ｖ１Ａに接続されている。ＮＯＴ回路１７６の出力は、ＮＯＴ回路１７８の入力に接続されている。ＮＯＴ回路１７８は、負極電源電位が接地電位に接続されている。ＮＯＴ回路１７８の出力は、抵抗器１８０を介して第２昇圧電源電位Ｖ２Ａに接続されている。また、ＮＯＴ回路１７８の出力は、表示制御用マイコン１１０のマイコン間通信入力に接続されている。燃焼制御用マイコン１０８のマイコン間通信出力がＬ電位（例えば接地電位）の場合、ＮＯＴ回路１７６が第１降圧電源電位Ｖ１Ａを出力し、ＮＯＴ回路１７８が接地電位を出力するので、表示制御用マイコン１１０のマイコン間通信入力はＬ電位（例えば接地電位）となる。燃焼制御用マイコン１０８のマイコン間通信出力がＨ電位（例えば第１降圧電源電位Ｖ１Ａ）の場合、ＮＯＴ回路１７６の出力が第１降圧電源電位Ｖ１Ａと非導通となり、ＮＯＴ回路１７８の出力が接地電位と非導通となるので、表示制御用マイコン１１０のマイコン間通信入力はＨ電位（例えば第２昇圧電源電位Ｖ２Ａ）となる。従って、燃焼制御用マイコン１０８と表示制御用マイコン１１０が、異なる電源電圧によって動作している場合でも、燃焼制御用マイコン１０８から表示制御用マイコン１１０へデータを送信することができる。
【００４３】
表示制御用マイコン１１０のマイコン間通信出力は、ＮＯＴ回路１８２の入力に接続されている。ＮＯＴ回路１８２は、正極電源電位が第２昇圧電源電位Ｖ２Ａに接続されている。ＮＯＴ回路１８２の出力は、ＮＯＴ回路１８４の入力に接続されている。ＮＯＴ回路１８４は、負極電源電位が接地電位に接続されている。ＮＯＴ回路１８４の出力は、抵抗器１８６を介して第１降圧電源電位Ｖ１Ａに接続されている。また、ＮＯＴ回路１８４の出力は、燃焼制御用マイコン１０８のマイコン間通信入力に接続されている。表示制御用マイコン１１０のマイコン間通信出力がＬ電位（例えば接地電位）の場合、ＮＯＴ回路１８２が第２昇圧電源電位Ｖ２Ａを出力し、ＮＯＴ回路１８４が接地電位を出力するので、燃焼制御用マイコン１０８のマイコン間通信入力はＬ電位（例えば接地電位）となる。表示制御用マイコン１１０のマイコン間通信出力がＨ電位（例えば第２昇圧電源電位Ｖ２Ａ）の場合、ＮＯＴ回路１８２の出力が第２昇圧電源電位Ｖ２Ａと非導通となり、ＮＯＴ回路１８４の出力が接地電位と非導通となるので、燃焼制御用マイコン１０８のマイコン間通信入力はＨ電位（例えば第１降圧電源電位Ｖ１Ａ）となる。従って、燃焼制御用マイコン１０８と表示制御用マイコン１１０が、異なる電源電圧によって動作している場合でも、表示制御用マイコン１１０から燃焼制御用マイコン１０８へデータを送信することができる。
【００４４】
表示操作部１０２は、ユーザが視認可能な位置に設けられた複数の発光ダイオードと、ユーザが操作可能な位置に設けられた複数のスイッチおよび複数のダイオードを備えている。図４では、複数の発光ダイオードをまとめて、発光ダイオード１８８として表記しており、複数のスイッチおよび複数のダイオードをまとめて、スイッチ１９０およびダイオード１９２として表記している。発光ダイオード１８８は、電気的発光素子といえる。
【００４５】
表示制御用マイコン１１０のコモン出力は、ＮＯＴ回路１９４の入力に接続されている。ＮＯＴ回路１９４は、正極電源電位が第２昇圧電源電位Ｖ２Ａに接続されている。ＮＯＴ回路１９４の出力は、表示操作部１０２の発光ダイオード１８８のアノードと、ダイオード１９２のアノードに接続されている。表示制御用マイコン１１０のセグメント出力は、ＮＯＴ回路１９６の入力に接続されている。ＮＯＴ回路１９６は、負極電源電位が接地電位に接続されている。ＮＯＴ回路１９６の出力は、抵抗器１９８を介して、発光ダイオード１８８のカソードに接続されている。表示制御用マイコン１１０の操作ＳＷ入力は、抵抗器２００，２０２を介して接地電位に接続されている。表示操作部１０２のスイッチ１９０は、第１接点１９０ａと第２接点１９０ｂの間の導通および非導通を切り換える。スイッチ１９０の第１接点１９０ａは、コントローラ１００の抵抗器２００と抵抗器２０２の接続箇所に接続されている。スイッチ１９０の第２接点１９０ｂは、ダイオード１９２のカソードに接続されている。
【００４６】
表示制御用マイコン１１０のコモン出力がＬ電位（例えば接地電位）となり、かつ、表示制御用マイコン１１０のセグメント出力がＨ電位（例えば第２昇圧電源電位Ｖ２Ａ）となると、ＮＯＴ回路１９４が第２昇圧電源電位Ｖ２Ａを出力し、ＮＯＴ回路１９６が接地電位を出力する。これによって、発光ダイオード１８８に第２昇圧電源電位Ｖ２Ａから電力が供給されて、発光ダイオード１８８が発光する。
【００４７】
表示制御用マイコン１１０のコモン出力がＬ電位（例えば接地電位）となっている時に、スイッチ１９０が非導通から導通に切り換わると、表示制御用マイコン１１０の操作ＳＷ入力は、Ｈ電位（例えば第２昇圧電源電位Ｖ２Ａ）となる。この状態から、スイッチ１９０が導通から非導通に切り換わった場合、あるいは、表示制御用マイコン１１０のコモン出力がＨ電位（例えば第２昇圧電源電位Ｖ２Ａ）になった場合、表示制御用マイコン１１０の操作ＳＷ入力は、Ｌ電位（例えば接地電位）となる。表示制御用マイコン１１０は、操作ＳＷ入力から、ユーザによるスイッチ１９０への操作内容を特定することができる。
【００４８】
本実施例のガス燃焼器具２においては、降圧回路１１４、燃焼制御用マイコン１０８、オペアンプ１５０、点火装置１２４、開閉弁１２６、ドライバＩＣ１１２、流量調整弁１２８等の部品が、第１電源電位Ｖ１または第１降圧電源電位Ｖ１Ａから電力を供給されて動作している。すなわち、降圧回路１１４、燃焼制御用マイコン１０８、オペアンプ１５０、点火装置１２４、開閉弁１２６、ドライバＩＣ１１２、流量調整弁１２８等の部品は、第１の電池１０４から供給される電力によって動作している。また、本実施例のガス燃焼器具２においては、昇圧回路１１６、表示制御用マイコン１１０、表示操作部１０２等の部品が、第２電源電位Ｖ２または第２昇圧電源電位Ｖ２Ａから電力を供給されて動作している。すなわち、昇圧回路１１６、表示制御用マイコン１１０、表示操作部１０２等の部品は、第２の電池１０６から供給される電力によって動作している。
【００４９】
通常、点火装置１２４や流量調整弁１２８などの部品は、動作時に大きな電流を必要とする。このため、点火装置１２４や流量調整弁１２８に電力を供給する第１の電池１０４は、これらの部品の動作時に、一時的に電池電圧が低下する。従って、点火装置１２４や流量調整弁１２８に電力を供給する第１の電池１０４については、これらの部品の動作により一時的に電池電圧が低下しても、これらの部品を正常に動作させることが可能な電池電圧の下限値を、終止電圧として設定する必要がある。通常、このように設定される終止電圧は、第１の電池１０４それ自体の終止電圧よりも高い電圧に設定される。一方、表示操作部１０２の発光ダイオード１８８は、動作時に高い電圧を必要とするが、昇圧回路１１６を用いることで、電池電圧が低下していても、正常に動作させることができる。このため、表示操作部１０２の発光ダイオード１８８に電力を供給する第２の電池１０６の終止電圧は、第２の電池１０６それ自体の終止電圧と同じ電圧に設定することが可能である。
【００５０】
仮に、点火装置１２４や流量調整弁１２８などの部品と、表示操作部１０２の発光ダイオード１８８などの部品を、同じ電池から供給される電力で動作させる構成とすると、電池の終止電圧を、点火装置１２４や流量調整弁１２８などの駆動による電池電圧の一時的な低下を踏まえて設定しなければならない。この場合、電池電圧がまだ電池それ自体の終止電圧まで低下しておらず、表示操作部１０２の発光ダイオード１８８については正常に動作させることが可能な場合であっても、ユーザに電池交換を促すことになる。また、点火装置１２４や流量調整弁１２８などの部品と、表示操作部１０２の発光ダイオード１８８などの部品を、同じ電池から供給される電力で動作させる構成とすると、点火装置１２４や流量調整弁１２８などの駆動により一時的に低下した電池電圧を、表示操作部１０２の発光ダイオード１８８の動作に必要な電圧まで昇圧回路１１６で昇圧する必要がある。通常、昇圧回路１１６の昇圧比が高くなると、昇圧回路１１６での消費電流は大幅に増加し、電池の消耗を早めてしまうことになる。
【００５１】
本実施例のガス燃焼器具２では、降圧回路１１４、燃焼制御用マイコン１０８、オペアンプ１５０、点火装置１２４、開閉弁１２６、ドライバＩＣ１１２、流量調整弁１２８等の部品と、昇圧回路１１６、表示制御用マイコン１１０、表示操作部１０２等の部品を、別個の電池から供給される電力によって動作させる構成としている。このような構成とすることによって、降圧回路１１４、燃焼制御用マイコン１０８、オペアンプ１５０、点火装置１２４、開閉弁１２６、ドライバＩＣ１１２、流量調整弁１２８等の部品に電力を供給する第１の電池１０４の終止電圧と、昇圧回路１１６、表示制御用マイコン１１０、表示操作部１０２等の部品に電力を供給する第２の電池１０６の終止電圧を、別個に設定することができる。これによって、第１の電池１０４や第２の電池１０６について、それぞれの用途においてまだ使用可能であるにも関わらずユーザに電池交換を促してしまうことを防ぐことができる。また、本実施例のガス燃焼器具２によれば、点火装置１２４や流量調整弁１２８などの部品の駆動により一時的に低下した電池電圧を、表示操作部１０２の発光ダイオード１８８の動作に必要な電圧まで昇圧する必要がないので、電池の消耗を抑制することができる。本実施例のガス燃焼器具２によれば、第１の電池１０４や第２の電池１０６の長寿命化を実現することができる。
【００５２】
本実施例のガス燃焼器具２では、表示操作部１０２の発光ダイオード１８８が、第１の電池１０４の電池交換を促す第１の発光ダイオードと、第１の発光ダイオードとは別体の、第２の電池１０６の電池交換を促す第２の発光ダイオードを備えており、第１の電池１０４および第２の電池１０６のそれぞれの電池交換のタイミングを、別個にユーザに報知することが可能である。このような構成とすることによって、ユーザの利便性を向上することができる。
【００５３】
なお、本実施例のガス燃焼器具２において、表示操作部１０２の動作が不要である場合は、図５に示すように、第１の電池１０４のみをガス燃焼器具２に取り付け、第２の電池１０６をガス燃焼器具２に取り付けない構成としてもよい。この場合、昇圧回路１１６、表示制御用マイコン１１０、表示操作部１０２等の部品には電力が供給されず、これらの部品は動作しないが、降圧回路１１４、燃焼制御用マイコン１０８、オペアンプ１５０、点火装置１２４、開閉弁１２６、ドライバＩＣ１１２、流量調整弁１２８等の部品には電力が供給されるので、ガス燃焼器具２において、第１コンロ４、第２コンロ６、第３コンロ８およびグリル庫１０を用いた調理を行なうことができる。
【００５４】
あるいは、図６に示すように、第１の電池１０４のみをガス燃焼器具２に取り付け、第２の電池１０６をガス燃焼器具２に取り付けない構成とし、さらに、外付けのハーネス２０４によって、第２電源電位Ｖ２を第１電源電位Ｖ１に接続する構成としてもよい。この場合、昇圧回路１１６、表示制御用マイコン１１０、表示操作部１０２等の部品にも、第１の電池１０４から電力が供給される。本実施例のガス燃焼器具２は、図２の構成とするか、あるいは図５の構成とするか、あるいは図６の構成とするかを、ユーザが適宜選択することができる。
【００５５】
図２に示すように、第１の電池１０４と第２の電池１０６の両方を取り付ける場合において、図４に示す燃焼制御用マイコン１０８は、昇圧回路１１６、表示制御用マイコン１１０、表示操作部１０２への電力の供給を許可している状態で、第１の所定時間（例えば３０秒）にわたってスイッチ１９０への操作が行われない場合に、昇圧回路１１６、表示制御用マイコン１１０、表示操作部１０２への電力の供給を禁止してもよい。これによって、ユーザがスイッチ１９０の操作をしていないにも関わらず、発光ダイオード１８８を点灯し続けて、余計な電力を消費してしまうことを抑制することができる。なお、燃焼制御用マイコン１０８は、昇圧回路１１６、表示制御用マイコン１１０、表示操作部１０２への電力の供給を禁止してから、第２の所定時間（例えば３０秒）が経過したときに、昇圧回路１１６、表示制御用マイコン１１０、表示操作部１０２への電力の供給を再び許可するようにしてもよい。
【００５６】
図７に示すように、表示操作部１０２に、スイッチ１９０に対応して、ユーザによる同じ操作を検出するスイッチ２０６を設けて、燃焼制御用マイコン１０８がスイッチ２０６への操作入力を検出可能な構成としてもよい。図７に示す構成では、表示操作部１０２は、スイッチ１９０とダイオード１９２に対応して、スイッチ２０６と、ダイオード２０８をさらに備えている。スイッチ２０６は、第１接点２０６ａと第２接点２０６ｂの間の導通および非導通を切り換える。燃焼制御用マイコン１０８のコモン出力は、ＮＯＴ回路２１０の入力に接続されている。ＮＯＴ回路２１０は、正極電源電位が第１降圧電源電位Ｖ１Ａに接続されている。ＮＯＴ回路２１０の出力は、表示操作部１０２のダイオード２０８のアノードに接続されている。燃焼制御用マイコン１０８の操作ＳＷ入力は、抵抗器２１２，２１４を介して接地電位に接続されている。スイッチ２０６の第１接点２０６ａは、コントローラ１００の抵抗器２１２と抵抗器２１４の接続箇所に接続されている。スイッチ２０６の第２接点２０６ｂは、ダイオード２０８のカソードに接続されている。
【００５７】
図７に示す構成においても、図４に示す構成と同様に、燃焼制御用マイコン１０８は、昇圧回路１１６、表示制御用マイコン１１０、表示操作部１０２への電力の供給を許可している状態で、第１の所定時間（例えば３０秒）にわたってスイッチ１９０への操作が行われない場合に、昇圧回路１１６、表示制御用マイコン１１０、表示操作部１０２への電力の供給を禁止してもよい。これによって、ユーザがスイッチ１９０の操作をしていないにも関わらず、発光ダイオード１８８を点灯し続けて、余計な電力を消費してしまうことを抑制することができる。また、燃焼制御用マイコン１０８は、昇圧回路１１６、表示制御用マイコン１１０、表示操作部１０２への電力の供給を禁止してから、第２の所定時間（例えば３０秒）が経過したときに、昇圧回路１１６、表示制御用マイコン１１０、表示操作部１０２への電力の供給を再び許可するようにしてもよい。さらに、燃焼制御用マイコン１０８は、昇圧回路１１６、表示制御用マイコン１１０、表示操作部１０２への電力の供給を禁止している時に、スイッチ２０６への操作入力を検出した場合に、昇圧回路１１６、表示制御用マイコン１１０、表示操作部１０２への電力の供給を再び許可するようにしてもよい。このような構成とすることによって、ユーザが操作を再開した時に、速やかに発光ダイオード１８８を発光させることができる。
【００５８】
上記の実施例では、降圧回路１１４、燃焼制御用マイコン１０８、オペアンプ１５０、点火装置１２４、開閉弁１２６、ドライバＩＣ１１２、流量調整弁１２８等の部品を第１の電池１０４から供給される電力によって動作させ、昇圧回路１１６、表示制御用マイコン１１０、表示操作部１０２等の部品を、第２の電池１０６から供給される電力によって動作させている。これとは異なり、オペアンプ１５０、点火装置１２４、開閉弁１２６等の部品のうちの１つまたはそれ以上について、第２の電池１０６から供給される電力によって動作させてもよい。あるいは、表示制御用マイコン１１０を、第１の電池１０４から供給される電力によって動作させてもよい。いずれの場合も、流量調整弁１２８と発光ダイオード１８８を異なる電池から供給される電力によって動作させる構成となっているので、第１の電池１０４および第２の電池１０６の長寿命化を実現することができる。
【００５９】
上記の実施例では、ガス燃焼器具２の一例として、第１コンロ４、第２コンロ６および第３コンロ８と、グリル庫１０を備えるガスコンロについて説明したが、本明細書が開示する技術は、他のガス燃焼器具に適用することもできる。
【００６０】
上記の実施例では、第１の電池１０４として、２つの乾電池１０４ａ、１０４ｂを直列に接続したものを用いる場合について説明したが、第１の電池１０４としては、乾電池以外の一次電池を用いてもよいし、二次電池を用いても良い。同様に、上記の実施例では、第２の電池１０６として、２つの乾電池１０６ａ、１０６ｂを直列に接続したものを用いる場合について説明したが、第２の電池１０６として、乾電池以外の一次電池を用いてもよいし、二次電池を用いてもよい。
【００６１】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００６２】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００６３】
２        ：ガス燃焼器具
４        ：第１コンロ
６        ：第２コンロ
８        ：第３コンロ
１０      ：グリル庫
１２      ：第１コンロバーナ
１４      ：第１コンロ点火装置
１６      ：第１コンロ炎検出器
１８      ：第１コンロ温度検出器
２０      ：第２コンロバーナ
２２      ：第２コンロ点火装置
２４      ：第２コンロ炎検出器
２６      ：第２コンロ温度検出器
２８      ：第３コンロバーナ
３０      ：第３コンロ点火装置
３２      ：第３コンロ炎検出器
３４      ：第３コンロ温度検出器
３６      ：グリル上部バーナ
３８      ：グリル上部点火装置
４０      ：グリル上部炎検出器
４２      ：第１グリル下部バーナ
４４      ：第２グリル下部バーナ
４６      ：第１グリル下部点火装置
４８      ：第２グリル下部点火装置
５０      ：第１グリル下部炎検出器
５２      ：第２グリル下部炎検出器
５４      ：グリル温度検出器
５６      ：ガス供給路
５８      ：主開閉弁
６０      ：第１コンロガス供給路
６２      ：第２コンロガス供給路
６４      ：第３コンロガス供給路
６６      ：グリルガス供給路
６８      ：第１コンロ開閉弁
７０      ：第１コンロ流量調整弁
７２      ：第２コンロ開閉弁
７４      ：第２コンロ流量調整弁
７６      ：第３コンロ開閉弁
７８      ：第３コンロ流量調整弁
８０      ：グリル開閉弁
８２      ：グリル上部ガス供給路
８４      ：グリル下部ガス供給路
８６      ：グリル上部流量調整弁
８８      ：第１グリル下部ガス供給路
９０      ：第２グリル下部ガス供給路
９１      ：グリル下部流量調整弁
９２      ：第１コンロスイッチ
９４      ：第２コンロスイッチ
９６      ：第３コンロスイッチ
９８      ：グリルスイッチ
１００    ：コントローラ
１０２    ：表示操作部
１０４    ：第１の電池
１０４ａ  ：乾電池
１０４ｂ  ：乾電池
１０６    ：第２の電池
１０６ａ  ：乾電池
１０６ｂ  ：乾電池
１０８    ：燃焼制御用マイコン
１１０    ：表示制御用マイコン
１１２    ：ドライバＩＣ
１１４    ：降圧回路
１１６    ：昇圧回路
１１８    ：メインスイッチ
１１８ａ  ：第１接点
１１８ｂ  ：第２接点
１２０    ：炎検出器
１２２    ：温度検出器
１２４    ：点火装置
１２６    ：開閉弁
１２８    ：流量調整弁
１３０    ：電解コンデンサ
１３２    ：電解コンデンサ
１３４    ：抵抗器
１３６    ：抵抗器
１３８    ：ＮＯＴ回路
１４０    ：ＮＯＴ回路
１４２    ：ＮＯＴ回路
１４４    ：コンデンサ
１４６    ：抵抗器
１４８    ：抵抗器
１５０    ：オペアンプ
１５２    ：抵抗器
１５４    ：ＮＯＴ回路
１５６    ：ＮＯＴ回路
１５８    ：ダイオード
１６０    ：抵抗器
１６２    ：ＮＯＴ回路
１６４    ：ＮＯＴ回路
１６６    ：ＮＯＴ回路
１６８    ：電解コンデンサ
１７０    ：コンデンサ
１７１    ：ＮＯＴ回路
１７２    ：抵抗器
１７４    ：抵抗器
１７６    ：ＮＯＴ回路
１７８    ：ＮＯＴ回路
１８０    ：抵抗器
１８２    ：ＮＯＴ回路
１８４    ：ＮＯＴ回路
１８６    ：抵抗器
１８８    ：発光ダイオード
１９０    ：スイッチ
１９０ａ  ：第１接点
１９０ｂ  ：第２接点
１９２    ：ダイオード
１９４    ：ＮＯＴ回路
１９６    ：ＮＯＴ回路
１９８    ：抵抗器
２００    ：抵抗器
２０２    ：抵抗器
２０４    ：ハーネス
２０６    ：スイッチ
２０６ａ  ：第１接点
２０６ｂ  ：第２接点
２０８    ：ダイオード
２１０    ：ＮＯＴ回路
２１２    ：抵抗器
２１４    ：抵抗器
【図１】
2018132268.tif 000003
【図２】
2018132268.tif 000004
【図３】
2018132268.tif 000005
【図４】
2018132268.tif 000006
【図５】
2018132268.tif 000007
【図６】
2018132268.tif 000008
【図７】
2018132268.tif 000009